(57)【要約】【課題】物干し竿が昇降途中に障害物に接触したときに、操作コードが操作されても、物干し竿がそれ以上昇降しない操作安定性に優れた昇降物干し装置を提供すること。【解決手段】操作コードによる昇降操作にともなって昇降コード１を巻き取りまたは送り出し、物干し竿を昇降させる第１の昇降機構５は、操作コードによる昇降操作にともなって回転する伝達ギヤに噛合するクラッチギヤ７と、クラッチギヤにクラッチを介して結合し、クラッチギヤと連動するストッパーギヤ１１と、ストッパーギヤの回転力が伝達され、昇降コードを巻き取る昇降コード巻き取り部と、ストッパーギヤの回転を噛合によって停止させるストッパー２６とを有し、ストッパーは、ストッパーギヤに噛合する方向に付勢されている一方、昇降コードの張力を受けてストッパーギヤから離れて保持されている。【選択図】図１
2008104696.tif 000002
【特許請求の範囲】
【請求項１】
操作コードによる昇降操作にともなって物干し竿に連結された昇降コードを巻き取りまたは送り出し、物干し竿を昇降させる第１の昇降機構および第２の昇降機構を備え、第１の昇降機構は、操作コードによる昇降操作にともなって回転する伝達ギヤに噛合するクラッチギヤと、クラッチギヤにクラッチを介して結合し、クラッチギヤと連動するストッパーギヤと、ストッパーギヤの回転力が伝達され、昇降コードを巻き取る昇降コード巻き取り部と、ストッパーギヤの回転を噛合によって停止させるストッパーとを有し、ストッパーは、ストッパーギヤに噛合する方向に付勢されている一方、昇降コードの張力を受けてストッパーギヤから離れて保持されている昇降物干し装置であって、物干し竿が昇降途中に障害物に接触し、昇降コードがたるんで張力が低下すると、ストッパーがストッパーギヤに向かって移動して噛合し、ストッパーギヤの回転を停止させ、伝達ギヤからさらに回転力が伝達されると、クラッチが解除されることを特徴とする昇降物干し装置。
【請求項２】
第２の昇降機構は、第１の昇降機構におけるストッパーギヤと連動するストッパーギヤと、ストッパーギヤの回転力が伝達され、昇降コードを巻き取る昇降コード巻き取り部と、ストッパーギヤの回転を噛合によって停止させるストッパーとを有し、ストッパーは、ストッパーギヤに噛合する方向に付勢されている一方、昇降コードの張力を受けてストッパーギヤから離れて保持されており、昇降コードが全て送り出され、物干し竿が最下点に達すると、第２の昇降機構において、昇降コードの張力がストッパーに作用しなくなり、ストッパーがストッパーギヤに向かって移動して噛合し、ストッパーギヤの回転を停止させ、これにともない第１の昇降機構におけるストッパーギヤの回転も停止され、伝達ギヤからさらに回転力が伝達されると、第１の昇降機構においてクラッチが解除されることを特徴とする請求項１に記載の昇降物干し装置。
【請求項３】
クラッチは雄雌型のはめあいクラッチであり、結合部がテーパー状に形成されていることを特徴とする請求項１または２に記載の昇降物干し装置。
【発明の詳細な説明】
【技術分野】
【０００１】
本発明は、室内で洗濯物を干すことができる昇降物干し装置に関する。
【背景技術】
【０００２】
雨の日にも洗濯物を干したい、道路に面している等の理由により屋外に洗濯物を干しにくいなどの要望、要請から、室内で洗濯物を干すことができるようにした昇降物干し装置が提供されている。
【０００３】
この昇降物干し装置は、たとえば図７に示したように、昇降コード１の一端に連結され、昇降自在に吊り下げられた物干し竿２を備えている。昇降コード１は、天井に設置される本体３に備えた昇降機構により巻き取られまたは送り出され、物干し竿２の昇降を可能にしている。昇降機構による昇降コード１の巻き取りおよび送り出しは、操作コード４により手動で操作される。操作コード４を引き下げ、昇降コード１を送り出すと、物干し竿２が下降し、昇降コード１を巻き取ると、物干し竿２が上昇する。物干し竿２は、端部２ａが伸縮自在とされ、洗濯物の量に応じて長さが可変とされており、非使用時には、端部２ａを縮め、本体３の内部に収納される。
【０００４】
このような昇降物干し装置については、その性能の向上が検討されている。たとえば特許文献１には、操作コード４が、常に垂れ下がった状態にあることにともなう見栄えの悪さ、居室空間の使用の妨げなどを改善するために、操作終了後には操作コード４が本体３に引き込まれ、長く垂れ下がらず、操作時には操作コード４を操作しやすい位置まで引き下げることができるようにしている。
【特許文献１】特許第３５２７７０９号公報
【発明の開示】
【発明が解決しようとする課題】
【０００５】
本発明は、物干し竿２が昇降途中に障害物に接触したときに、それに気づかずに操作コード４が操作されても、物干し竿２をそれ以上昇降させず、昇降機構に無理な負荷が加わったり、昇降コード１が絡みついたりなどすることのない操作安定性に優れた昇降物干し装置を提供することを課題としている。
【課題を解決するための手段】
【０００６】
本発明の昇降物干し装置は、上記の課題を解決するために、以下のことを特徴としている。
【０００７】
第１に、操作コードによる昇降操作にともなって物干し竿に連結された昇降コードを巻き取りまたは送り出し、物干し竿を昇降させる第１の昇降機構および第２の昇降機構を備え、第１の昇降機構は、操作コードによる昇降操作にともなって回転する伝達ギヤに噛合するクラッチギヤと、クラッチギヤにクラッチを介して結合し、クラッチギヤと連動するストッパーギヤと、ストッパーギヤの回転力が伝達され、昇降コードを巻き取る昇降コード巻き取り部と、ストッパーギヤの回転を噛合によって停止させるストッパーとを有し、ストッパーは、ストッパーギヤに噛合する方向に付勢されている一方、昇降コードの張力を受けてストッパーギヤから離れて保持されている昇降物干し装置であって、物干し竿が昇降途中に障害物に接触し、昇降コードがたるんで張力が低下すると、ストッパーがストッパーギヤに向かって移動して噛合し、ストッパーギヤの回転を停止させ、伝達ギヤからさらに回転力が伝達されると、クラッチが解除される。
【０００８】
第２に、上記において、第２の昇降機構は、第１の昇降機構におけるストッパーギヤと連動するストッパーギヤと、ストッパーギヤの回転力が伝達され、昇降コードを巻き取る昇降コード巻き取り部と、ストッパーギヤの回転を噛合によって停止させるストッパーとを有し、ストッパーは、ストッパーギヤに噛合する方向に付勢されている一方、昇降コードの張力を受けてストッパーギヤから離れて保持されており、昇降コードが全て送り出され、物干し竿が最下点に達すると、第２の昇降機構において、昇降コードの張力がストッパーに作用しなくなり、ストッパーがストッパーギヤに向かって移動して噛合し、ストッパーギヤの回転を停止させ、これにともない第１の昇降機構におけるストッパーギヤの回転も停止され、伝達ギヤからさらに回転力が伝達されると、第１の昇降機構においてクラッチが解除される。
【０００９】
第３に、上記において、クラッチは雄雌型のはめあいクラッチであり、結合部がテーパー状に形成されている。
【発明の効果】
【００１０】
上記第１の発明によれば、物干し竿が昇降途中に障害物に接触することにともない昇降コードにたるみが発生すると、昇降コードの張力の低下によってストッパーの保持力が弱まり、付勢されているストッパーがストッパーギヤに噛合する方向に移動し、噛合してストッパーギヤの回転を停止させる。この状態において操作コードをさらに操作し、伝達ギヤが回転されると、クラッチが解除され、伝達ギヤからの回転力がストッパーギヤに伝達されず、伝達ギヤが空回りし、物干し竿はそれ以上昇降しなくなる。第１の昇降機構および第２の昇降機構に無理な負荷が加わったり、昇降コードが絡みついたりなどすることはない。昇降物干し装置の操作安定性が向上する。
【００１１】
上記第２の発明によれば、上記の発明の効果に加え、物干し竿が最下点に達すると、第２の昇降機構において、昇降コードの張力がストッパーに作用しなくなり、ストッパーがストッパーギヤに向かって移動して噛合し、ストッパーギヤの回転を停止させる。これにともない第１の昇降機構におけるストッパーギヤの回転も停止される。この状態において、伝達ギヤからさらに回転力が伝達されると、第１の昇降機構においてクラッチが解除され、伝達ギヤからの回転力がストッパーギヤに伝達されず、伝達ギヤが空回りし、物干し竿はそれ以上下降しなくなる。第１の昇降機構および第２の昇降機構に無理な負荷が加わることなどがなく、昇降物干し装置の操作安定性がより向上する。
【００１２】
上記第３の発明によれば、上記の発明の効果に加え、クラッチの結合および解除が容易に行われ、動作がスムーズになる。
【発明を実施するための最良の形態】
【００１３】
図１は、本発明の昇降物干し装置の一実施形態を示した要部側面図である。
【００１４】
昇降物干し装置Ａは、図７に示したような物干し竿２に一端を連結した昇降コード１を巻き取りまたは送り出し、物干し竿２を昇降させる第１の昇降機構５および第２の昇降機構６を備えている。第１の昇降機構５は、昇降物干し装置Ａの左端部に、第２の昇降機構６は右端部にそれぞれ配置されている。第１の昇降機構５はクラッチギヤ７を有しており、第２の昇降機構６はクラッチギヤ７を有していない。第１の昇降機構５には、図２に示した操作コード４の引き下げによって正逆回転するホイール８に連動して回転する伝達ギヤが接続されている。すなわち、図３に示したように、伝達ギヤ９は、図２に示したホイール８と同軸上に配置され、ホイール８と連動し、回転力を第１の昇降機構５のクラッチギヤ７に伝達する。ホイール８は、図３図中において伝達ギヤ９に直近の右隣のブロックに内蔵され、操作コード４は図３図中において上側に引き出される。
【００１５】
第１の昇降機構５には、図１に示した回転軸１０上にクラッチギヤ７、ストッパーギヤ１１およびウォームギヤ１２が設けられている。クラッチギヤ７とストッパーギヤ１１とは、図３に示したように、雄雌型のクラッチ１３によって結合および解除可能とされている。通常は、回転軸１０の周りに設けられた圧縮ばね１４によってクラッチ１３が結合するようにクラッチギヤ７がストッパーギヤ１１側に押圧されている。このようなクラッチギヤ７に伝達ギヤ９が噛合している。
【００１６】
ウォームギヤ１２には、その回転方向に対して直角方向に回転するヘリカルギヤ１５が噛合している。ヘリカルギヤ１５は、ウォームギヤ１２とともに昇降コード１の巻き取り部を構成するものであり、昇降コード１の他端が連結される巻き取りドラムに連結されている。昇降コード１は、巻き取りドラムの中心に結び１６によって連結され、巻き取りドラムの外周に巻き取られ、また、送り出されるようになっている。昇降コード１は、本体ベース１７に回転自在に設けられたプーリー１８に掛け渡されて本体外に出ている。
【００１７】
第１の昇降機構５の回転軸１０は、図１に示したように、角パイプ１９を介して第２の駆動機構６の回転軸２０に接続している。第２の昇降機構６には、図３に示したように、回転軸２０上にストッパーギヤ２１およびウォームギヤ２２が設けられている。ウォームギヤ２２には、その回転方向に対して直角方向に回転するヘリカルギヤ２３が噛合している。ヘリカルギヤ２３は、ウォームギヤ２２とともに昇降コード１の巻き取り部を構成するものであり、昇降コード１の他端が連結される巻き取りドラムに連結されている。昇降コード１は、巻き取りドラムの中心に結び２４によって連結され、巻き取りドラムの外周に巻き取られ、また、送り出されるようになっている。昇降コード１は、本体ベース１７に回転自在に設けられたプーリー２５に掛け渡されて本体外に出ている。
【００１８】
このような第１の昇降機構５および第２の昇降機構６を備えた昇降物干し装置Ａは、図２に示した操作コード４を引き下げ、ホイール８を回転させると、その回転力が図３に示した伝達ギヤ９を介して第１の昇降機構５におけるクラッチギヤ７に伝達され、クラッチギヤ７が回転し、クラッチ１３によって結合されたストッパーギヤ１１がクラッチギヤ７に連動して回転し、ウォームギヤ１２も連動して回転する。このときの回転力は、角パイプ１９を介して第２の昇降機構６におけるストッパーギヤ２１およびウォームギヤ２２に伝達され、ストッパーギヤ２１およびウォームギヤ２２も回転する。ウォームギヤ１２、２２の回転にともなってヘリカルギヤ１５、２３が回転し、昇降コード１を巻き取りまたは送り出す。その結果、図７に示した物干し竿２が昇降する。
【００１９】
また、第１の昇降機構５には、図３に示したように、細長形状のストッパー２６が、クラッチギヤ７、ストッパーギヤ１１、ウォームギヤ１２およびヘリカルギヤ１５を回転自在に支持するベース２７上に図３図中に示した矢印方向にスライド自在に設けられている。ストッパー２６は、図４＜ａ＞＜ｂ＞にも示したように、ベース２７との間に圧縮ばね２８を介在させており、圧縮ばね２８の弾性力は、噛合部２９が設けられたストッパー２６の一端部２６ａをストッパーギヤ１１に近づけるように作用し、噛合部２９がストッパーギヤ１１に噛合する方向にストッパー２６を付勢している。
【００２０】
さらに、ストッパー２６には、噛合部２９が設けられた一端部２６ａと反対側の端部に円弧面を有する掛かり部３０が設けられている。掛かり部３０は、ベース２７において、ヘリカルギヤ１５に連結された上記の通りの巻き取りドラム３１より外側に位置し、昇降コード１が掛けられ、昇降コード１に張力を与えるとともに、昇降コード１の張力がストッパー２６に作用するようにしている。昇降コード１の張力を受けてストッパー２６は、圧縮ばね２８の弾性力に抗して噛合部２９が設けられた一端部２６ａがストッパーギヤ１１から離れるように保持されている。
【００２１】
図３に示したように、第２の昇降機構６にも細長形状のストッパー３２が設けられている。ストッパー３２は、ストッパーギヤ２１、ウォームギヤ２２およびヘリカルギヤ２３を回転自在に支持するベース３３上に図３図中に示した矢印方向にスライド自在に設けられている。ストッパー３２は、図５＜ａ＞＜ｂ＞にも示したように、ベース３３との間に圧縮ばね３４を介在させており、圧縮ばね３４の弾性力は、噛合部３５が設けられたストッパー３２の一端部３２ａをストッパーギヤ２１に近づけるように作用し、噛合部３５がストッパーギヤ２１に噛合する方向にストッパー３２を付勢している。
【００２２】
さらに、ストッパー３２には、略中央部に円弧面を有する掛かり部３６が設けられている。掛かり部３６には昇降コード１が掛けられ、昇降コード１に張力を与えるとともに、昇降コード１の張力がストッパー３２に作用するようにしている。昇降コード１の張力を受けてストッパー３２は、圧縮ばね３４の弾性力に抗して噛合部３５が設けられた一端部３２ａがストッパーギヤ２１から離れるように保持されている。
【００２３】
なお、第２の昇降機構６側の昇降コード１は、掛かり部３６とプーリー２５との間に設けられたプーリー３７にも掛けられている。プーリー３７は、ベース３３に回転自在に支持されている。また、図５＜ｂ＞図中に示した符号３８が昇降コード１を巻き取る上記の通りの巻き取りドラムである。
【００２４】
このように、昇降物干し装置Ａは、第１の昇降機構５、第２の昇降機構６が、それぞれ、ストッパー２６、３２を有することから、次のような利点を有する。
【００２５】
すなわち、昇降途中に図７に示した物干し竿２が障害物に接触し、昇降コード１にたるみが生じると、昇降コード１の張力が低下することから、第１の昇降機構５におけるストッパー２６の保持力が弱まるため、ストッパー２６は、図４＜ｃ＞に示したように、圧縮ばね２８からの弾性力によってスライドし、一端部２６ａの噛合部２９がストッパーギヤ１１に噛合する。この噛合によってストッパーギヤ１１の回転が停止し、図１および図３に示した角パイプ１９を介しての回転力の伝達が行われず、第２の昇降機構６におけるストッパーギヤ２１の回転も停止する。この状態において図２に示した操作コード４をさらに操作し、図３および図４＜ａ＞に示した伝達ギヤ９が回転されると、伝達ギヤ９と噛合しているクラッチギヤ７は、ストッパーギヤ１１の停止によりウォームギヤ１２が回転しないので、クラッチ１３が解除され、圧縮ばね１４の弾性力に抗して伝達ギヤ９から外れるように回転軸１０上を長さ方向に移動する。このため、伝達ギヤ９からの回転力がストッパーギヤ１１に伝達されず、伝達ギヤ９は空回りする。したがって、物干し竿２はそれ以上昇降しなくなる。第１の昇降機構５および第２の昇降機構６に無理な負荷が加わったり、昇降コード１が絡みついたりなどすることはない。昇降物干し装置Ａは、操作安定性が向上したものとなっている。
【００２６】
また、物干し竿２が最下点に達すると、第２の昇降機構６において、図５＜ｂ＞に示した巻き取りドラム３８からプーリー３７に向かう昇降コード１が掛かり部３６から離れる。つまり、物干し竿２が最下点に達したときに、昇降コード１が掛かり部３６から離れるように、昇降コード１は巻き取りドラム３８に結び２４によって取り付けられており、また、プーリー３７は、掛かり部３６に対して位置調整されてベース３３上に配置されている。このように昇降コード１が掛かり部３６から離れると、昇降コード１の張力がストッパー３２に作用しなくなり、ストッパー３２は、図５＜ｃ＞に示したように、圧縮ばね３４からの弾性力によってスライドし、一端部３２ａの噛合部３５がストッパーギヤ２１に噛合する。この噛合によってストッパーギヤ２１の回転が停止し、図１および図３に示した角パイプ１９を介して第１の昇降機構５におけるストッパーギヤ１１の回転が停止される。この状態において図２に示した操作コード４をさらに操作し、図３および図４＜ａ＞に示した伝達ギヤ９が回転されると、伝達ギヤ９と噛合しているクラッチギヤ７は、ストッパーギヤ１１の停止によりウォームギヤ１２が回転しないので、クラッチ１３が解除され、圧縮ばね１４の弾性力に抗して伝達ギヤ９から外れるように回転軸１０上を長さ方向に移動する。このため、伝達ギヤ９からの回転力がストッパーギヤ１１に伝達されず、伝達ギヤ９は空回りする。したがって、物干し竿２はそれ以上下降しなくなる。第１の昇降機構５および第２の昇降機構６に無理な負荷が加わることなどがない。昇降物干し装置Ａは、操作安定性がより向上したものとなっている。
【００２７】
このように、図１に示した昇降物干し装置Ａは、操作安定性に優れたものとなっている。
【００２８】
なお、ストッパーギヤ１１とクラッチギヤ７とを結合または解除するクラッチ１３については、図６に示したように、雄雌型のはめあいクラッチを採用することができる。この場合、雄側クラッチ１３ａをストッパーギヤ１１の側端外周面に配設し、雌側クラッチ１３ｂをクラッチギヤ７の内周面に配設することができる。また、雄側クラッチ１３ａおよび雌側クラッチ１３ｂのいずれにもテーパー３９を付け、クラッチ１３の結合部をテーパー状に形成することができる。テーパー状の結合部によって、クラッチ１３の結合および解除が容易に行われるようになり、動作がスムーズになる。
【図面の簡単な説明】
【００２９】
【図１】本発明の昇降物干し装置の一実施形態を示した要部側面図である。
【図２】図１に示した昇降物干し装置における操作コードと操作コードの引き下げにより回転するホイールを示した要部側面図である。
【図３】図１に示した昇降物干し装置における第１の昇降機構および第２の昇降機構を示した要部底面図である。
【図４】＜ａ＞＜ｂ＞＜ｃ＞は、それぞれ、図３に示した第１の昇降機構の要部底面図、側面図およびストッパーの作動状態を示した側面図である。
【図５】＜ａ＞＜ｂ＞＜ｃ＞は、それぞれ、図４に示した第２の昇降機構の要部底面図、側面図およびストッパーの作動状態を示した側面図である。
【図６】ストッパーギヤとクラッチギヤとに配設される雄雌型のはめあいクラッチを例示した斜視図である。
【図７】昇降物干し装置を例示した正面図である。
【符号の説明】
【００３０】
Ａ  昇降物干し装置
１  昇降コード
２  物干し竿
４  操作コード
５  第１の昇降機構
６  第２の昇降機構
７  クラッチギヤ
９  伝達ギヤ
１１  ストッパーギヤ
１３  クラッチ
２１  ストッパーギヤ
２６  ストッパー
３２  ストッパー
３９  テーパー
【図２】
2008104696.tif 000003
【図３】
2008104696.tif 000004
【図４】
2008104696.tif 000005
【図５】
2008104696.tif 000006
【図６】
2008104696.tif 000007
【図７】
2008104696.tif 000008
【図１】
2008104696.tif 000009